(57)【特許請求の範囲】
【請求項１】
指定された検索要求を検索キーとして、文書情報の集合から、前記検索要求に関連する文書情報を検索する文書情報検索装置であって、
前記検索要求から抽出された複数の単語と、前記文書情報の集合内の各文書情報から抽出された単語との関連に基づいて、前記文書情報の集合から少なくとも１つの前記文書情報を含む候補文書情報の集合を検索する第１検索手段と、
前記検索要求から抽出された複数の単語間の関係と、前記候補文書情報の各々から抽出された複数の単語間の関係に基づいて、前記候補文書情報の集合から前記検索要求に関連する文書情報を検索する第２検索手段と、
前記第２検索手段において前記検索された文書情報に含まれる単語及び当該単語間の関係に基づいて生成された要約を要約に含まれる文毎にユーザに呈示し、ユーザによる少なくとも１つの文の選択を受け付ける要約選択手段と、
前記選択された文に含まれる単語間の関係から新たな検索要求を生成する検索要求生成手段と、
を含み、
前記新たな検索要求を用いて前記第１検索手段及び前記第２検索手段における検索処理を行うことを特徴とする文書情報検索装置。
【請求項２】
請求項１に記載の文書情報検索装置において、
前記第１検索手段は、前記検索要求から抽出された複数の自立語と、前記文書情報の集合内の各文書情報から抽出された自立語との関連に基づいて前記候補文書情報の集合を検索することを特徴とする文書情報検索装置。
【請求項３】
請求項１に記載の文書情報検索装置において、
前記第１検索手段は、前記検索要求から抽出された複数の単語と、前記文書情報の集合内の各文書情報から抽出された単語との一致度の総和が高い順に前記候補文書情報の集合を検索することを特徴とする文書情報検索装置。
【請求項４】
請求項１から３のいずれか１に記載の文書情報検索装置において、
前記第２検索手段は、前記検索要求から抽出された複数の自立語間の係り受け関係と、前記候補文書情報の各々から抽出された複数の自立語間の係り受け関係に基づいて、前記候補文書情報の集合から前記検索要求に関連する文書情報を検索することを特徴とする文書情報検索装置。
【請求項５】
指定された検索要求を検索キーとして、文書情報の集合から、前記検索要求に関連する文書情報を検索する文書情報検索プログラムであって、
前記検索要求から抽出された複数の単語と、前記文書情報の集合内の各文書情報から抽出された単語との関連に基づいて、前記文書情報の集合から少なくとも１つの前記文書情報を含む候補文書情報の集合を検索する第１検索工程と、
前記検索要求から抽出された複数の単語間の関係と、前記候補文書情報の各々から抽出された複数の単語間の関係に基づいて、前記候補文書情報の集合から前記検索要求に関連する文書情報を検索する第２検索工程と、
前記第２検索工程において前記検索された文書情報に含まれる単語及び当該単語間の関係に基づいて生成された要約を要約に含まれる文毎にユーザに呈示し、ユーザによる少なくとも１つの文の選択を受け付ける要約選択工程と、
前記選択された文に含まれる単語間の関係から新たな検索要求を生成する検索要求生成工程と、
を含み、
前記新たな検索要求を用いて前記第１検索工程及び前記第２検索工程における検索処理をコンピュータに実行させることを特徴とする文書情報検索プログラム。
【請求項６】
請求項５に記載の文書情報検索プログラムにおいて、
前記第１検索工程は、前記検索要求から抽出された複数の自立語と、前記文書情報の集合内の各文書情報から抽出された自立語との関連に基づいて前記候補文書情報の集合を検索することを特徴とする文書情報検索プログラム。
【請求項７】
請求項５に記載の文書情報検索プログラムにおいて、
前記第１検索工程は、前記検索要求から抽出された複数の単語と、前記文書情報の集合内の各文書情報から抽出された単語との一致度の総和が高い順に前記候補文書情報の集合を検索することを特徴とする文書情報検索プログラム。
【請求項８】
請求項５から７のいずれか１に記載の文書情報検索プログラムにおいて、
前記第２検索工程は、前記検索要求から抽出された複数の自立語間の係り受け関係と、前記候補文書情報の各々から抽出された複数の自立語間の係り受け関係に基づいて、前記候補文書情報の集合から前記検索要求に関連する文書情報を検索することを特徴とする文書情報検索プログラム。
【発明の詳細な説明】
【０００１】
【発明の属する技術分野】
本発明は、検索の対象となる文書情報の集合から検索要求に関連する文書情報を検索するために用いられる文書情報検索装置、文書情報検索方法及び文書情報検索プログラムに関する。
【０００２】
【従来の技術】
近年のインターネット等の情報伝達手段の発達に伴って、電子情報化された大量の文書情報が流通している。これらの大量の文書情報を利用するためには、ユーザが必要とする情報を適切に検索できることが必要とされる。そのため、ユーザが指定した自然文等を含む文書情報（以下、検索要求という）の内容に関連する文書情報を、容易かつ簡便に見つけ出すための文書検索技術が必要とされている。
【０００３】
計算機の高速化、大容量化に伴い、一般的になりつつある文書検索技術として、ｔｆ＊ＩＤＦ（term frequency*inverse document frequency)法等の統計情報に基づく類似文書検索技術が挙げられる。ｔｆ＊ＩＤＦ法を用いた類似文書検索技術では、まず入力文に対して、既存の形態素解析等を用いることによって、その集合に含まれる文書情報を形態素（単語）に切り出す。その各単語が入力文中に出現する頻度を示すｔｆ値と、入力文内においてその単語が出現する文書情報数の逆数を示すＩＤＦ値との積を、その単語の重要度と決定する。次に、検索対象となる各文書情報に、それらの単語が出現するかを調査し、出現した単語の重要度の総和をその文書情報の関連度とする。その関連度が相対的に高い順に文書情報を抽出することによって、入力文に関連（類似）する文書情報を検索することができる。
【０００４】
このような類似文書検索技術においては、最初はあいまいな語句（又は、一般的な自然文）や検索者の検索意図に近い内容を含むことが分かっている文書情報を検索要求として入力し、その検索結果から検索者の意図に近い文書情報を選択し、新たな検索要求として検索をさらに続けることによって、結果的に検索者の検索意図に近い文書情報を得ることができる。
【０００５】
これによって、熟練した検索者でなくても、思いついた文や文書から検索を開始し、簡易な検索操作によって文書情報の検索を行なうことが可能となる。
【０００６】
このように、検索結果を検索要求にフィードバックする方法では、検索を続けるうちに、検索者の検索意図が徐々に明確になることが多い。従って、検索者は容易に思いつくことができる簡単な文や文書から検索を開始したい場合が考えられる。
【０００７】
しかしながら、最初に入力する検索要求が簡単で曖昧であるほど、その検索要求との関連性が同程度である文書情報が多くなり、検索結果として抽出される文書情報が膨大となる。その結果、膨大な検索結果から検索意図に沿った文書情報を選択することが困難となる問題があった。
【０００８】
一方、特開平８−４４７７１号公報に「情報検索装置」に関する技術が開示されている。本技術では、文書情報に含まれる単語間の係り受け関係に着目し、入力された検索要求に含まれる単語間の係り受け関係と、各検索対象文書情報に含まれる単語間の係り受け関係との一致度を調査し、その一致度が高い文書情報を検索要求と関連するものとして抽出する。
【０００９】
【発明が解決しようとする課題】
しかしながら、単語間の係り受け関係の評価基準を厳しくすると、検索される文書情報が極端に少なくなり、検索者が必要とする文書情報まで排除されてしまう問題を生じていた。これに対して、単語間の係り受け関係の評価基準を甘くすると、係り受け関係を考慮しない検索方法に近づき、検索される文書情報が膨大となり、評価基準の設定が困難となる問題があった。
【００１０】
本発明は、上記従来技術の問題を鑑み、簡単な検索要求から検索を開始した場合においても、検索意図に沿った文書情報を容易に検索できる文書情報検索装置、文書情報検索方法及び文書情報検索プログラムを提供することを目的とする。
【００１１】
【課題を解決するための手段】
本発明の１つの態様は、指定された検索要求を検索キーとして、文書情報の集合から、前記検索要求に関連する文書情報を検索する文書情報検索装置であって、前記検索要求から抽出された複数の単語と、前記文書情報の集合内の各文書情報から抽出された単語との関連に基づいて、前記文書情報の集合から少なくとも１つの前記文書情報を含む候補文書情報の集合を検索する第１検索手段と、前記検索要求から抽出された複数の単語間の関係と、前記候補文書情報の各々から抽出された複数の単語間の関係に基づいて、前記候補文書情報の集合から前記検索要求に関連する文書情報を検索する第２検索手段と、前記第２検索手段において前記検索された文書情報に含まれる単語及び当該単語間の関係に基づいて生成された要約を要約に含まれる文毎にユーザに呈示し、ユーザによる少なくとも１つの文の選択を受け付ける要約選択手段と、前記選択された文に含まれる単語間の関係から新たな検索要求を生成する検索要求生成手段と、を含み、前記新たな検索要求を用いて前記第１検索手段及び前記第２検索手段における検索処理を行うことを特徴とする。
【００１２】
さらに、前記第１検索手段は、前記検索要求から抽出された複数の自立語と、前記文書情報の集合内の各文書情報から抽出された自立語との関連に基づいて前記候補文書情報の集合を検索するものとしてもよい。
【００１３】
さらに、前記第１検索手段は、前記検索要求から抽出された複数の単語と、前記文書情報の集合内の各文書情報から抽出された単語との一致度の総和が高い順に前記候補文書情報の集合を検索するものとしてもよい。
【００１４】
さらに、前記第２検索手段は、前記検索要求から抽出された複数の自立語間の係り受け関係と、前記候補文書情報の各々から抽出された複数の自立語間の係り受け関係に基づいて、前記候補文書情報の集合から前記検索要求に関連する文書情報を検索するものとしてもよい。
【００１５】
また、本発明の別の態様は、指定された検索要求を検索キーとして、文書情報の集合から、前記検索要求に関連する文書情報を検索する文書情報検索プログラムであって、前記検索要求から抽出された複数の単語と、前記文書情報の集合内の各文書情報から抽出された単語との関連に基づいて、前記文書情報の集合から少なくとも１つの前記文書情報を含む候補文書情報の集合を検索する第１検索工程と、前記検索要求から抽出された複数の単語間の関係と、前記候補文書情報の各々から抽出された複数の単語間の関係に基づいて、前記候補文書情報の集合から前記検索要求に関連する文書情報を検索する第２検索工程と、前記第２検索工程において前記検索された文書情報に含まれる単語及び当該単語間の関係に基づいて生成された要約を要約に含まれる文毎にユーザに呈示し、ユーザによる少なくとも１つの文の選択を受け付ける要約選択工程と、前記選択された文に含まれる単語間の関係から新たな検索要求を生成する検索要求生成工程と、を含み、前記新たな検索要求を用いて前記第１検索工程及び前記第２検索工程における検索処理をコンピュータに実行させることを特徴とする文書情報検索プログラムである。
【００１６】
さらに、前記第１検索工程は、前記検索要求から抽出された複数の自立語と、前記文書情報の集合内の各文書情報から抽出された自立語との関連に基づいて前記候補文書情報の集合を検索するものとしてもよい。
【００１７】
さらに、前記第１検索工程は、前記検索要求から抽出された複数の単語と、前記文書情報の集合内の各文書情報から抽出された単語との一致度の総和が高い順に前記候補文書情報の集合を検索するものとしてもよい。
【００１８】
さらに、前記第２検索工程は、前記検索要求から抽出された複数の自立語間の係り受け関係と、前記候補文書情報の各々から抽出された複数の自立語間の係り受け関係に基づいて、前記候補文書情報の集合から前記検索要求に関連する文書情報を検索するものとしてもよい。
【００２３】
【発明の実施の形態】
図１に、本発明の実施の形態における文書情報検索装置の構成を示す。文書情報検索装置１０は、制御部１２、記憶部１４、出力部１６、入力部１８、内部データベース２０及び外部インターフェース２２を含んで成る。各部は、バス２４によって互いに情報伝達可能に接続されている。また、文書情報検索装置１０は、外部インターフェース２２によってネットワーク２６に接続され、ネットワーク２６を介して外部データベース２８（ネットワークに接続された他のコンピュータ等）と文書情報の送受信を行なうことができる。
【００２４】
制御部１２には、半導体素子である中央処理装置（ＣＰＵ）を用いることができる。記憶部１４は、例えば、半導体メモリである。内部データベース２０及び外部データベース２８は、例えば、半導体メモリ、ハードディスク装置、フレキシブルディスク又は光磁気ディスク等である。出力部１６は、文書情報等を出力するものであり、例えば、ディスプレイ、プリンタ等である。また、ハードディスク装置、フレキシブルディスク等としても良い。入力部１８は、検索者が検索要求を入力したり、要約を選択するために用いるものであり、例えば、キーボードやマウス等である。
【００２５】
制御部１２は、記憶部１４等に記憶されているプログラムを実行することによって、記憶部１４、内部データベース２０又は外部データベース２８に記憶されている文書情報の集合から検索を行なう。文書情報の検索は、以下の文書検索方法に従って行なわれる。
【００２６】
図２に、本発明の第１の実施の形態における文書情報検索方法のフローチャートを示す。本実施形態の文書情報検索方法は、上記の文書情報検索装置を用いて実行することができる。図を参照して、以下に各工程を詳細に説明する。
【００２７】
制御部１２は、記憶部１４、内部データベース２０又は外部データベース２８を随時参照し、そこに記憶されている情報を利用して処理を行なう。
【００２８】
工程ＳＴ１では、検索を行なうキーとなる検索要求の入力が行なわれる。検索者は、入力部１８を用いることによって、検索要求を文書情報検索装置１０に入力することができる。入力された検索要求は、記憶部１４に記憶される。
【００２９】
ここでは、単語、句表現、文、文書又は文書群の情報が入力され、検索要求はこれらの情報の組み合せとなる。ここでは、説明を簡単にするために、検索要求として自然文「高速検索を実現する」が入力されたものとする。
【００３０】
工程ＳＴ２では、一般的な形態素解析方法を用いて、入力された検索要求を形態素（単語）に分解する。
【００３１】
上記の検索要求の例では、句表現「高速検索を実現する」が「高速」「検索」「を」「実現」「する」という単語に分解される。
【００３２】
工程ＳＴ３では、分解された検索要求の各単語からキーワードの特定を行なう。本実施形態では、各単語は自立語（単独で文節となることができる単語）と、そうでない単語（助詞等）に分類される。これらの結果は、記憶部１４に記憶しておくことができる。
【００３３】
上記の例では、「高速」「検索」「を」「実現」「する」に分解される単語のうち、「高速」「検索」「実現」が自立語として特定され、「を」「する」が自立語でない単語として特定される。
【００３４】
工程ＳＴ４では、検索の対象となる検索対象文書情報の各々について、形態素解析を用いて、その文書情報を単語に分解する。検索対象文書情報は、文書情報検索装置１０の内部データベース２０に蓄積されたものを対象としてもよいし、ネットワーク２６を介して外部データベース２８に蓄積されている文書情報を対象としても良い。
【００３５】
例えば、検索対象文書情報に「実現したシステムは、本手法適用により文書の高速検索を実現する。」といった文を含む場合、その文は「実現」「した」「システム」「は」「本手法」「適用」・・・・というように単語に分解される。
【００３６】
工程ＳＴ５では、さらに、分解された各単語からキーワードの特定を行なう。本実施形態では、上記の検索要求と同様に、各単語は自立語と、そうでない単語に分類される。これらの結果は、記憶部１４等に記憶しておくことができる。
【００３７】
上記の例では、「実現」「システム」「本手法」「適用」「文書」「高速」「検索」が自立語として特定される。
【００３８】
工程ＳＴ６では、上記の各自立語（キーワード）の重要度を決定する。重要度の決定には、例えば、特許第３０２８８１１号の「テキスト検索装置」に開示された語重要度計算処理を用いることができる。
【００３９】
工程ＳＴ７では、検索対象文書情報の各々に含まれる単語と、検索要求に含まれる各単語と比較され、各検索対象文書情報ごとに検索要求との単語レベルでの関連性が調べられる。例えば、その検索対象文書情報に出現する単語の重要度の総和を算出する。その総和が、検索対象文書情報のそれぞれに対する仮関連度として決定される。仮関連度は、検索対象文書集合と関連付けて記憶部１４等に記憶することができる。
【００４０】
さらに、仮関連度が相対的に高い順に検索対象文書情報を選択し、候補文書情報の集合として抽出する。抽出される候補文書情報の数は、適宜設定することができることが好適である。候補文書情報の集合も記憶部１４等に記憶しておくことができる。
【００４１】
ここまでの処理によって、莫大な文書情報から抽出された候補文書情報は仮関連度によってランキングされており、本実施の形態ではさらに単語間の関係を用いて候補文書情報の再ランキングを行なう。
【００４２】
工程ＳＴ８では、検索要求の自立語間の係り受け関係が調べられる。関係の評価には、特開平７−３１９８８５号公報に開示されている「キーワード抽出装置」等を用いることができる。自立語間の係り受け関係は、記憶部１４等に記憶することができる。
【００４３】
上記の検索要求の例に対して自立語間の係り受け関係を調べた結果を示す。係り受け関係は、図３に示す対照表を用いて調べられる。例えば、自立語「実現」（サ変動詞）に格助詞「を」を介して自立語「高速−検索」が係り受け関係にある。この係り受け関係は、例えば、｛［ヲ］  高速検索  実現｝と表現される。
【００４４】
本実施の形態では、単語間の関係として、自立語間の係り受け関係を用いたが、その他にも意味関係、格関係等を用いても同様の作用又は効果を得ることができる。
【００４５】
工程ＳＴ９では、候補文書情報の集合に含まれる文書情報の各々に含まれる自立語間の係り受け関係を調査する。
【００４６】
例えば、上記の「実現したシステムは、本手法適用により文書の高速検索を実現する。」といった文を含む候補文書情報がある場合、図４に示すように、その文についての係り受け関係は｛［スル］  システム  実現｝、｛［直結］  手法適用｝、｛［名詞接続］  文書  高速検索｝及び｛［ヲ］  高速検索  実現｝となる。
【００４７】
工程ＳＴ１０では、検索要求に含まれる自立語間の係り受け関係と、候補文書情報の集合の中の各文書情報に含まれる自立語間の係り受け関係とが、特開平８−４４７７１号の「情報検索装置」に開示された技術等を用いて比較され、各文書情報ごとに出現した検索要求の係り受け関係の一致度が求められる。その一致度を仮関連度に乗算する等して、最終的な関連度が決定される。
【００４８】
例えば、上記の検索要求及び文書情報においては、係り受け関係｛［ヲ］  高速検索  実現｝が一致するものであるので、その係り受け関係の一致度がその文書情報の仮関連度に乗算され、関連度として決定される。
【００４９】
工程ＳＴ１１では、関連度が相対的に高い順に候補文書情報の集合から文書情報に関する情報を出力（表示）する。これによって、検索者は検索要求に関連する文書情報を得ることができる。
【００５０】
図５に、本実施の形態における文書情報の検索結果の表示例を示す。この検索結果は、上記の検索要求の例を用いて検索を行なった結果である。本例では、検索の結果得られた文書情報のタイトル、先頭から所定数の文字及びＵＲＬが併せて表示されている。
【００５１】
また、検索意図に沿った内容を含む文書情報を、検索者が選択可能としておくことによって、その選択された文書情報を検索要求として検索を進めることも可能である。例えば、図５のように、各文書情報に選択ボックスによるユーザインターフェース等を設けておくことによって、入力部１８であるマウス等で必要な文書情報を選択することを可能とすることができる。
【００５２】
工程ＳＴ１２では、さらに検索を続けるかの判断が行なわれる。新たな検索要求を入力しての検索を行なう場合には、工程ＳＴ１に処理が戻される。検索された文書情報の少なくとも１つを選択して再検索を行なう場合には、工程ＳＴ１３に処理を移す。
【００５３】
このとき、例えば、図５に示すように、“検索結果から検索”ボタン等のユーザインターフェースを設けておくことによって、新たな検索を行なうか、再検索を行なうかの確認をすることができる。
【００５４】
工程ＳＴ１３では、選択された文書情報を検索要求とする処理が行なわれ、工程ＳＴ２に処理が戻される。
【００５５】
本実施形態では、検索時に検索対象文書情報の形態素解析及び自立語の特定を行なったが、これらの処理を各検索対象文書情報のデータベースへの登録時に行なうことも好適である。このように、登録時に予備的に処理を行なっておくことによって、検索処理の処理時間を短縮する等の有利な効果を得ることができる。
【００５６】
以上のように、まず検索要求に含まれる単語と、検索対象文書情報に含まれる単語との比較によって検索対象を絞り込み、その後、単語間の関係を用いて検索要求に関連する文書情報を検索することによって、検索対象となる文書情報を適切にランキングすることが可能となり、検索者の検索意図に沿った文書情報を適切な数だけ得ることができる。
【００５７】
図６に、本発明の第２の実施の形態における文書情報検索方法のフローチャートを示す。上記の第１の実施の形態と等しい処理を行なう工程には同一の符号を付し、説明を省略する。
【００５８】
工程ＳＴ２−１では、検索の結果得られた検索要求に関連する文書情報の単語間の関係を用いて、その文書情報の要約が作成される。このとき、工程ＳＴ９において、既に得られている単語間の関係を用いることによって処理を簡略化することができる。
【００５９】
要約の作成には、例えば、特開平１１−２８２８８１号公報に開示された「文書要約装置および記録媒体」、又は特開２００１−８４２４８号公報に開示された「文書要約装置、文書要約方法及び記録媒体」等の技術を用いることができる。これらの技術では、文書情報に含まれる自立語間の係り受け関係に基づいて、文書情報から短く的確な要約を作成することができる。
【００６０】
工程ＳＴ２−２では、検索の結果得られた文書情報に関する情報と併せて、生成された要約が出力（表示）される。この要約を確認することによって、検索者は文書情報の内容を短時間で、容易に把握することが可能となる。
【００６１】
図７に、本実施の形態における文書情報の表示例を示す。本例では、検索の結果得られた文書情報のタイトルやＵＲＬと共に、その文書情報から生成された要約がそれぞれ表示されている。
【００６２】
このとき、例えば、検索要求の単語間の関係（第１の実施の形態では、係り受け関係）を含む要約が存在する場合、図７のように、その関係に該当する箇所を強調表示することによって、その文書情報と検索要求との関連を判断・確認し易くすることができる。また、文書情報と共に関連度を表示することによって、検索者がその文書情報と検索要求との関連性を数値によって確認することも可能である。
【００６３】
また、出力された文書情報又は要約から、検索者の検索意図に沿ったものを選択可能としておくことによって、その選択された文書情報又は要約を用いてさらに検索を進めることも可能である。例えば、図７のように、各文書情報のタイトル及び要約に選択ボックスによるユーザインターフェース等を設けておくことによって、入力部１８であるマウス等で必要な文書情報又は要約を選択することを可能とすることができる。
【００６４】
工程ＳＴ２−３では、新たな検索要求を入力しての検索、または選択された文書情報又は要約を用いた再検索の判断がされる。新たな検索要求からの検索を行なう際には、工程ＳＴ１に処理を戻す。文書情報又は要約に基づいて再検索を行なう際には、工程ＳＴ２−４に処理を移す。
【００６５】
このとき、例えば、図７に示すように、“検索結果から検索”ボタン等のユーザインターフェースを設けておくことによって、新たな検索を行なうか、再検索を行なうかの確認をすることができる。
【００６６】
工程ＳＴ２−４では、選択された文書情報又は要約から新たな検索要求が作成される。検索要求を作成する方法としては、最も簡単には、文書情報又は要約の全部を検索要求とするものが挙げられる。また、文書情報又は要約から重要語又は重要な単語間の関係を抽出して、新たな検索要求とすることも好適である。単語間の関係を用いる場合には、工程ＳＴ９において、既に得られた単語間の関係を利用することが好適である。これによって、処理を簡略化することができる。本工程後は工程ＳＴ２に処理が戻される。
【００６７】
また、本実施の形態では、文書情報又は要約から新たな検索要求を作成し、再検索を実行するものとしたが、例えば、文書情報又は要約を用いて自然文検索を実行するような実施の形態とすることも好適である。
【００６８】
以上のように、本実施の形態によると、文書情報の内容を的確な要約によって確認することができる。検索者は、それぞれの文書情報の本文にアクセスすることなく、その文書情報の内容を迅速かつ容易に把握することが可能となる。
【００６９】
また、検索要求に含まれる単語間の関係に基づいて、要約を強調表示することによって、より容易に文書情報の内容を把握することが可能となる。さらに、関連度を表示することによって、検索要求と文書情報との関連性を具体的な数値として把握することができる。
【００７０】
さらに、要約を選択し、その要約を用いた再検索を可能とすることによって、検索者の意図に沿った検索キーを容易に作成し、再検索を行なうことができる。なぜなら、単語間の関係を用いた検索結果である文書情報から生成された要約には、検索者の検索意図が反映された情報が多数含まれる可能性が高いためである。
【００７１】
上記の実施の形態における文書情報検索方法をプログラム化し、そのプログラムをコンピュータに実行させることによっても同様の作用及び効果を得ることができる。また、そのプログラムをコンピュータ読み取り可能な記録媒体に記録し、その記録媒体からコンピュータにプログラムを読み取らせることによっても同様の作用及び効果を得ることができる。記録媒体としては、例えば、フレキシブルディスク、光磁気ディクス等が挙げられる。
【００７２】
【発明の効果】
本発明によって、簡単な検索要求から検索を開始した場合においても、検索意図に沿った文書情報を容易に検索できる文書情報検索装置、文書情報検索方法及び文書情報検索プログラムを提供することができる。
【図面の簡単な説明】
【図１】  本発明の実施の形態における文書情報検索装置の構成のブロック図である。
【図２】  本発明の第１の実施の形態における文書情報検索方法のフローチャートを示す図である。
【図３】  本発明の実施の形態における係り受け関係の対照表を示す図である。
【図４】  本発明の実施の形態における係り受け関係の解析例を示す図である。
【図５】  本発明の第１の実施の形態における検索結果の表示例を示す図である。
【図６】  本発明の第２の実施の形態における文書情報検索方法のフローチャートを示す図である。
【図７】  本発明の第２の実施の形態における検索結果の表示例を示す図である。
【符号の説明】
１０  文書情報検索装置、１２  制御部、１４  記憶部、１６  出力部、１８入力部、２０  内部データベース、２２  外部インターフェース、２４  バス、２６  ネットワーク、２８  外部データベース。
【図１】
0004092933.tif 000002
【図２】
0004092933.tif 000003
【図３】
0004092933.tif 000004
【図４】
0004092933.tif 000005
【図５】
0004092933.tif 000006
【図６】
0004092933.tif 000007
【図７】
0004092933.tif 000008